(57)【特許請求の範囲】
【請求項１】
第一のケースと、
この第一のケースと組み合わせられる第二のケースと、
これら第一及び第二の両ケース間の全周にわたって挟持される防水部材と、
この防水部材が全周に沿って一体的に設けられた電子基板部と、
この電子基板部の内部から引き出し可能に形成される配線部と、を備えることを特徴とする防水筐体構造。
【請求項２】
前記防水部材は、前記電子基板部の一方の面に設けられたことを特徴とする請求項１に記載の防水筐体構造。
【請求項３】
前記電子基板部の内部から前記配線部が引き出される開口部を覆う防水シートを備えることを特徴とする請求項１または２に記載の防水筐体構造。
【請求項４】
前記電子基板部は、平坦な板状部材からなり、前記開口部を備えていることを特徴とする請求項３に記載の防水筐体構造。
【請求項５】
前記電子基板部の内部から引き出される前記配線部は、前記開口部から前記電子基板部の一方の面側に引き出され、前記防水シートは、前記電子基板部の他方の面側から前記開口部を覆うことを特徴とする請求項３または４に記載の防水筐体構造。
【請求項６】
前記電子基板部は、第１の開口部と、第２の開口部と、を備え、
前記第１の開口部から前記電子基板部の一方の面側に引き出される第１の配線部と、前記第１の開口部を前記電子基板部の他方の面側から覆う第１の防水シートと、
前記第２の開口部から前記電子基板部の他方の面側に引き出される第２の配線部と、前記第２の開口部を前記電子基板部の一方の面側から覆う第２の防水シートと、
を備えることを特徴とする請求項３乃至５のいずれか１項に記載の防水筐体構造。
【請求項７】
請求項１乃至６のいずれか１項に記載の防水筐体構造を備えることを特徴とする電子機器。
【発明の詳細な説明】
【技術分野】
【０００１】
本発明は、組み合わされる複数のケースの間を防水する防水筐体構造と、その防水筐体構造を備える電子機器に関する。
【背景技術】
【０００２】
折り畳み型携帯端末において、複数のケースを組み合わせる筐体であって、ケース間にパッキンを挟み込んで防水を図るとともに、折り畳まれる他の筐体と電気的接続するフレキシブルプリント回路基板の防水を図った防水筐体構造が特許文献１に開示される。
【特許文献１】特開２００５−３２７５２号公報
【発明の開示】
【発明が解決しようとする課題】
【０００３】
ところで、特許文献１のように、筐体の防水を図るためには、フレキシブルプリント回路基板を含むケース間にパッキンが必要であった。
【０００４】
本発明の課題は、組み合わされる複数のケースの間を防水する防水筐体構造において、ケース間の防水と、電子基板部の内部から引き出される配線部の防水を簡単な構成で容易に行えるようにすることである。
【課題を解決するための手段】
【０００５】
以上の課題を解決するため、請求項１に記載の発明は、第一のケースと、この第一のケースと組み合わせられる第二のケースと、これら第一及び第二の両ケース間の全周にわたって挟持される防水部材と、この防水部材が全周に沿って一体的に設けられた電子基板部と、この電子基板部の内部から引き出し可能に形成される配線部と、を備える防水筐体構造を特徴とする。
請求項２に記載の発明は、請求項１に記載の防水筐体構造であって、前記防水部材は、前記電子基板部の一方の面に設けられたことを特徴とする。
【０００６】
請求項３に記載の発明は、請求項１または２に記載の防水筐体構造であって、前記電子基板部の内部から前記配線部が引き出される開口部を覆う防水シートを備えることを特徴とする。
請求項４に記載の発明は、請求項３に記載の防水筐体構造であって、前記電子基板部は、平坦な板状部材からなり、前記開口部を備えていること特徴とする。
請求項５に記載の発明は、請求項３または４に記載の防水筐体構造であって、前記電子基板部の内部から引き出される前記配線部は、前記開口部から前記電子基板部の一方の面側に引き出され、前記防水シートは、前記電子基板部の他方の面側から前記開口部を覆うことを特徴とする。
請求項６に記載の発明は、請求項３乃至５のいずれか１項に記載の防水筐体構造であって、前記電子基板部は、第１の開口部と、第２の開口部と、を備え、前記第１の開口部から前記電子基板部の一方の面側に引き出される第１の配線部と、前記第１の開口部を前記電子基板部の他方の面側から覆う第１の防水シートと、前記第２の開口部から前記電子基板部の他方の面側に引き出される第２の配線部と、前記第２の開口部を前記電子基板部の一方の面側から覆う第２の防水シートと、を備えることを特徴とする。
【０００７】
請求項７に記載の発明は、請求項１乃至６のいずれか１項に記載の防水筐体構造を備える電子機器を特徴とする。
【発明の効果】
【０００８】
本発明によれば、組み合わされる複数のケース間の防水と、電子基板部から内部から引き出される配線部の防水を簡単な構成で容易に行うことができる。
【発明を実施するための最良の形態】
【０００９】
以下、図を参照して本発明を実施するための最良の形態を詳細に説明する。
（実施形態）
図１から図３は本発明を適用した電子機器の一実施形態の構成としてスライド式携帯電話を示したもので、１は操作部筐体、２は表示部筐体、３は下ケース、４は上ケース、５は表示装置、６はフレキシブル基板、７はパッキン、８は防水シート、９は防水シートである。
【００１０】
操作部筐体１と図示しないレール及びガイド溝等のスライド構造部で結合される表示部本体２は、図示例では、下ケース３及び上ケース４から構成されている。上ケース４内に液晶表示装置５が収納され、下ケース３及び上ケース４の間にフレキシブル基板６が配置されている。
【００１１】
フレキシブル基板６は、例えば、非接触データ通信を行うためのフェリカアンテナなどの各種アンテナなどの回路形成も可能で、その全周囲の上面に防水部材であるパッキン７がインサート成形等により一体成形されている。パッキン７は、上ケース４の全周囲の下面に形成したパッキン溝４１に嵌合されている。
【００１２】
また、フレキシブル基板６には、その内部を大きく切り抜いて第一の開口部６１が形成されるとともに、この第一の開口部６１の長手方向の一端から引き出される第一の配線部６２が形成されている。この第一の配線部６２は、先端にコネクタ部６３を有するとともに、中間部に組み付けたパッキン６４を有している。また、この第一の配線部６２によりスライド動作において屈曲変形しながら追従する構造を実現している（図１及び図３参照）。なお、コネクタ部６３は、下ケース３に形成した開口部３１内を通して操作部筐体１内の図示しない回路基板にコネクタ接続され、パッキン６４は、操作部筐体１のケース端部に嵌合される。
【００１３】
さらに、フレキシブル基板６には、残る一端側を切り抜いて第二の開口部６５が形成されるとともに、この第二の開口部６５の第一の開口部６１側から引き出される第二の配線部６６が形成されている。この第二の配線部６６は、先端にコネクタ部６７を有している。このコネクタ部６７は、液晶表示装置５の図示しない回路基板にコネクタ接続される。
【００１４】
以上のフレキシブル基板６の第一の開口部６１の周囲上面に第一の防水シート８が接着されて、第二の開口部６５の周囲下面に第二の防水シート９が接着されている。そして、開口部３１から第一の配線部６２が引き出された下ケース３を、上ケース４のパッキン溝４１にパッキン７を嵌合したフレキシブル基板６の全周囲下に重ねて、下ケース３及び上ケース４を互いにネジ固定（図示しない）により合体する。
【００１５】
また、下ケース３の開口部３１から引き出された第一の配線部６２のコネクタ部６３を、操作部筐体１内の図示しない回路基板にコネクタ接続して、第一の配線部６２のパッキン６４を、操作部筐体１のケース端部に嵌合する。
【００１６】
以上、実施形態の防水筐体構造を備える携帯電話によれば、フレキシブル基板６の全周囲上面に一体成形して備えたパッキン７を、上ケース４のパッキン溝４１に嵌合して、開口部３１から第一の配線部６２が引き出された下ケース３を、上ケース４のパッキン溝４１にパッキン７を嵌合したフレキシブル基板６の全周囲下に重ねたことで、下ケース３及び上ケース４間の防水と、フレキシブル基板６から内部から引き出される配線部６２の防水とを、簡単な構成で容易に実現できる。また、配線部の構造をパッキン形成部エリア内に収められるので、無駄の少ないフレキシブル基板の利用が可能になる。
【００１７】
そして、フレキシブル基板６の第一の開口部６１の周囲上面に第一の防水シート８を接着して、第二の開口部６５の周囲下面に第二の防水シート９を接着したことで、第一の配線部６２を引き出す第一の開口部６１に対する防水と、表示部筐体２の内部で液晶表示装置５の回路基板にコネクタ接続する第二の配線部６６を有する第二の開口部６５に対する防水を容易に実現できる。
【００１８】
なお、防水シートの接着は接着剤でも両面接着テープでも良い。
また、防水シートは、フレキシブル基板とパッキンの一体成形時にラバーで開口部を覆ってしまうようにしても良い。
【００１９】
（変形例）
なお、以上の実施形態においては、携帯電話としたが、本発明はこれに限定されるものではなく、カメラ、ＰＤＡ、ノートパソコン、ウェアラブルパソコン、電卓、電子辞書など、複数のケースを組み立てて筐体の防水を図る携帯型電子機器を含む電子機器すべてに用いることができる。
また、ケース、基板、防水部材、配線部の形状等も任意であり、その他、具体的な細部構造等についても適宜に変更可能であることは勿論である。
【図面の簡単な説明】
【００２０】
【図１】本発明を適用した電子機器の一実施形態の構成を示すもので、スライド式携帯電話を示した縦断側面図である。
【図２】図１の電子基板部から防水シートを分解して示した斜視図である。
【図３】図１の状態からスライドさせた状態を示した図である。
【符号の説明】
【００２１】
３  第一のケース
３１  開口部
４  第二のケース
４１  パッキン溝
６  フレキシブル基板
６１  開口部
６２  配線部
６３  コネクタ部
６４  防水部材
６５  開口部
６６  配線部
６７  コネクタ部
７  防水部材
８  防水シート
９  防水シート
【図１】
0005061369.tif 000002
【図２】
0005061369.tif 000003
【図３】
0005061369.tif 000004